(57)【要約】【課題】  従来の排泄物壁はね防止機能を備えたペットの排泄物吸収シートはコストが高く、使いづらかった。【解決手段】  透液性の表面シート２と、不透液性の裏面シート３と、前記表面シート２と裏面シート３との間に介在し長方形の吸収領域を形成する吸収コア４とを有する吸収マット１ａを形成する。前記裏面シート３は前記吸収マット１ａより大きく、吸収マット１ａの一辺より延出させてフラップ１０を形成しており、前記フラップの端部近辺には、前記フラップを前記吸収領域に対して垂直方向へ折り曲げた状態で壁に掛止するための接着手段１１が設けられている。不透液性のフラップによって牡犬が後足をあげて排尿しても壁が汚れない。【選択図】図４
2008245662.tif 000002
【特許請求の範囲】
【請求項１】
透液性の表面シートと、不透液性の裏面シートと、前記表面シートと裏面シートとの間に介在する吸収コアとを有する四角形の吸収マット、および前記吸収マットの少なくとも一辺から延出するフラップとを有し、前記フラップは、このフラップの延出方向と平行な前記吸収マットの辺の長さの０．３倍以上の延出長を有することを特徴とする排泄物吸収シート。
【請求項２】
前記フラップは、前記裏面シートで形成されている請求項１記載の排泄物吸収シート。
【請求項３】
透液性の表面シートと、不透液性の裏面シートと、前記表面シートと裏面シートとの間に介在する吸収コアとを有する四角形の吸収マット、および前記吸収マットの前記吸収コアを覆っている前記表面シートの上を起点として延出するフラップが設けられていることを特徴とする排泄物吸収シート。
【請求項４】
前記裏面シートが前記吸収マットの縁部で折り曲げられて吸収コアの上に延び、この裏面シートが前記吸収コアを覆う前記表面シートの上を起点として延出し前記フラップが形成されている請求項３記載の排泄物吸収シート。
【請求項５】
前記フラップは、前記裏面シートとは別体の不透液性シートで形成されている請求項１または３記載の排泄物吸収シート。
【請求項６】
前記不透液性シートは、前記吸収マットの縁部において前記裏面シートに対して接合されている請求項５記載の排泄物吸収シート。
【請求項７】
前記フラップを形成する裏面シートまたは前記不透液性シートには、表面処理が施され、またはエンボス処理が施されている請求項２，４，５，６のいずれかに記載の排泄物吸収シート。
【請求項８】
前記フラップには、不織布層が設けられている請求項１〜７のいずれかに記載の排泄物吸収シート。
【請求項９】
前記不織布層は、前記吸収マットから延出する表面シートである請求項８記載の排泄物吸収シート。
【請求項１０】
前記フラップには、前記吸収マットからほぼ直角に折り曲げた状態で壁面に掛止するための手段が設けられて、ペットの排泄物吸収用として用いられる請求項１〜９のいずれかに記載の排泄物吸収シート。
【請求項１１】
前記吸収マットの２辺から互いに逆方向に延出する前記フラップを有し、この両フラップがベッド上のシーツまたはマットに巻き込み可能とされて、ベッド上での排泄物吸収用として用いられる請求項１〜９のいずれかに記載の排泄物吸収シート。
【請求項１２】
折り畳まれた不透液性の裏面シートまたはチューブ状の不透液性の裏面シートと、透液性の表面シートとの間に、吸収コアを介在させて、吸収コアの外周で前記裏面シートと表面シートとを接着または融着させ、
前記裏面シートと前記表面シートとの間に吸収コアが介在する四角形の吸収マットを形成し、前記折り畳みを解除しまたはチューブを切断した前記裏面シートによって前記吸収マットから延出するフラップを形成することを特徴とする排泄物吸収シートの製造方法。
【請求項１３】
不透液性の裏面シートと、前記裏面シートのほぼ全面に重ねられる透液性の表面シートとの間で、吸収コアを片寄らせて介在させて、少なくとも吸収コアの外周で前記裏面シートと表面シートとを接着または融着させ、
前記裏面シートと前記表面シートとの間に吸収コアが介在する四角形の吸収マットと、前記裏面シートおよび前記表面シートが重ねられた状態で前記吸収マットから延出するフラップと、を形成することを特徴とする排泄物吸収シートの製造方法。
【請求項１４】
前記吸収マットの縁部で前記裏面シートまたは前記裏面シートおよび前記表面シートを折り返し、この裏面シートまたは表面シートを前記吸収コアを覆う前記表面シートの上に接合させる工程を含む請求項１２または１３記載の排泄物吸収シートの製造方法。
【請求項１５】
前記フラップを、前記吸収マットの辺の長さの０．３倍以上の長さで延出させる請求項１２〜１４のいずれかに記載の排泄物吸収シートの製造方法。
【発明の詳細な説明】
【技術分野】
【０００１】
本発明は、ペットの排泄物吸収用またはベッドに設置される介護用などの排泄物吸収シートおよびその製造方法に関する。さらに詳しくは、壁などに排泄物が跳ねて壁が汚れるのを防止できるペットの排泄物吸収用、またはベッド上でシーツやマットに対してずれを防止できる介護用の排泄物吸収シートおよびその製造方法に関する。
【背景技術】
【０００２】
家庭内で飼われる犬や猫等のペットの排泄物を処理するために、ペットの排泄物吸収シートが使用されている。このペットの排泄物吸収シートは、不織布などの透液性の表面シートと、樹脂フィルムなどの不透液性の裏面シートと、表面シートと裏面シートの間に介在する吸収コアとから構成されている。
【０００３】
吸収コアは、例えばパルプ層の表面に高吸水性樹脂層を設けたもの、または、粉砕されたパルプ層と、そのパルプ層中に分散されている高吸水性樹脂とにより構成さたもの、または高吸水性樹脂層のみが、ティッシュペーパーなどの吸収紙に覆われて形成される。この種の排泄物吸収シートは、主に尿などの水分の吸収を目的として部屋や風呂場の隅、すなわち壁際などに配置されて使用される。
【０００４】
しかし、ペットの排尿時の位置によっては尿が排泄物吸収シートの外へと飛散することがあり、特に牡犬などは本能的に後足をあげて横向きに排尿する習慣があるために尿が多く飛散して、周辺の壁が汚れるという問題がある。このような問題を解決するために、下記特許文献１には、長方形の吸収マットを折り曲げて床から壁へと連続して設置できる牡犬用排尿マットが開示されている。
【特許文献１】実公平３−６２０５号公報
【発明の開示】
【発明が解決しようとする課題】
【０００５】
しかし、上記牡犬用排尿マットは壁に設置する部分にも吸収体が設けられている。したがって、マットは比較的大型なものとなり、コストが高くなるばかりでなく、嵩張るために持ち運びや保管に不便である。また、壁に設置する部分が吸収体を有しているために比較的重量があり、継続的に壁に保持させることが難しく、壁に設置されている部分が床面方向へずり落ちやすい欠点がある。それを防ぐために接着剤を強くすることもできるが、接着強度を高くするとマットを剥がしたときに壁に接着剤が残ってしまう。
【０００６】
一方、介護用または出産用として、ベッドのマットまたはシーツ上に設置される吸収シートが用いられる。この吸収シートも、前記マットまたはシーツ上で位置がずれやすいという欠点がある。
【０００７】
本発明は上記従来の課題を解決するものであり、排泄物の跳ねによる壁の汚れを防止できるもので且つ壁面に設置された部分がずり落ちにくいペット用の排泄物吸収シートおよびその製造方法を提供することを目的としている。
【０００８】
また本発明は、ベッドのマットまたはシーツ上に設置したときに、位置ずれし難い介護用などとして使用される排泄物吸収シートおよびその製造方法を提供することを目的としている。
【課題を解決するための手段】
【０００９】
第１の本発明の排泄物吸収シートは、透液性の表面シートと、不透液性の裏面シートと、前記表面シートと裏面シートとの間に介在する吸収コアとを有する四角形の吸収マット、および前記吸収マットの少なくとも一辺から延出するフラップとを有し、前記フラップは、このフラップの延出方向と平行な前記吸収マットの辺の長さの０．３倍以上の延出長を有することを特徴とするものである。この延出長さは好ましくは０．５倍以上である。
【００１０】
例えば、前記フラップは、前記裏面シートで形成されている。
好ましくは前記延出長は前記辺の２倍以下である。また、前記延出長さは、前記吸収マットの一辺の最もそばに位置する吸収コアの辺（末端部）から測定する値である。
【００１１】
第２の本発明の排泄物吸収シートは、透液性の表面シートと、不透液性の裏面シートと、前記表面シートと裏面シートとの間に介在する吸収コアとを有する四角形の吸収マット、および前記吸収マットの前記吸収コアを覆っている前記表面シートの上を起点として延出するフラップが設けられていることを特徴とするものである。
【００１２】
これは、例えば、前記裏面シートが前記吸収マットの縁部で折り曲げられて吸収コアの上に延び、この裏面シートが前記吸収コアを覆う前記表面シートの上を起点として延出し前記フラップが形成されているものとすることが可能である。
【００１３】
例えば、前記フラップには、前記吸収マットからほぼ直角に折り曲げた状態で壁面に掛止するための手段が設けられて、ペットの排泄物吸収用として用いられる。
【００１４】
上記ペット用の排泄物吸収シートは、前記吸収マットを床やペット用トイレなどに設置し、前記フラップを接着剤などの掛止手段によって家屋の壁やペット用トイレの内壁などの壁面に掛止させて使用する。このフラップは、不透液性シートから形成され、内部に吸収コアを有していないため、従来のものに比べて安価に得ることができる。また、フラップは非常に軽量であるため、壁に保持させるための接着剤の接着力がさほど強くなくても、フラップが壁面からずり落ちることがない。
【００１５】
あるいは、前記吸収マットの２辺から互いに逆方向に延出する前記フラップを有し、この両フラップがベッド上のシーツまたはマットに巻き込み可能とされて、ベッド上での排泄物吸収用として用いられる。
【００１６】
上記の介護用などの排泄物吸収シートは、吸収マットをベッドのシーツやマットの上に設置し、側方へ延出する吸収コアの存在していないフラップを前記シーツやマットに巻き込むことができ、ベッド上での吸収マットの位置ずれを防止できる。
【００１７】
また、前記のように、吸収コアを覆う表面シートの上を起点として前記フラップが延出する構造にすると、前記ペットの排泄物吸収用として用いるときに、壁面に掛止されるなどした前記フラップに付着した尿などが前記フラップを流れ落ちて、前記吸収コアで確実に吸収されるようになる。また前記介護用などとして使用する場合に、吸収コアが設けられている領域に排出された尿などが、前記フラップの起点の部分で堰き止められ、尿などが前記フラップの領域に流れ出るのを防止できる。
【００１８】
また、前記フラップは、前記裏面シートとは別体の不透液性シートで形成することが可能である。この場合に、前記不透液性シートは、前記吸収マットの縁部において前記裏面シートに対して接合されていることが好ましい。
【００１９】
前記不透液性シートと前記裏面シートとを接合させると、不透液性シートと吸収マットとの接合部から尿などの液が裏面シートの裏側へ滲み出るのを防止できる。
【００２０】
また、前記フラップを形成する裏面シートまたは前記不透液性シートには、表面処理が施され、またはエンボス処理（凹凸化）が施されていることが好ましい。
【００２１】
さらに前記フラップには、不織布層が設けられている。この不織布層は、前記吸収マットから延出する表面シートであることが好ましい。前記フラップの液を受ける面に表面シートが重ねられていると、フラップに与えられる液が他の領域へ広く飛散するのを防止できる。
【００２２】
また本発明の排泄物吸収シートの製造方法は、折り畳まれた不透液性の裏面シートまたはチューブ状の不透液性の裏面シートと、透液性の表面シートとの間に、吸収コアを介在させて、吸収コアの外周で前記裏面シートと表面シートとを接着または融着させ、
前記裏面シートと前記表面シートとの間に吸収コアが介在する四角形の吸収マットを形成し、前記折り畳みを解除しまたはチューブを切断した前記裏面シートによって前記吸収マットから延出するフラップを形成することを特徴とするものである。
【００２３】
または、不透液性の裏面シートと、前記裏面シートのほぼ全面に重ねられる透液性の表面シートとの間で、吸収コアを片寄らせて介在させて、少なくとも吸収コアの外周で前記裏面シートと表面シートとを接着または融着させ、
前記裏面シートと前記表面シートとの間に吸収コアが介在する四角形の吸収マットと、前記裏面シートおよび前記表面シートが重ねられた状態で前記吸収マットから延出するフラップと、を形成することを特徴とするものである。
【００２４】
この場合に、前記吸収マットの縁部で前記裏面シートまたは前記裏面シートおよび前記表面シートを折り返し、この裏面シートまたは表面シートを前記吸収コアを覆う前記表面シートの上に接合させる工程を含ませることが可能である。
【００２５】
また、例えば、前記方法においては、前記フラップを、前記吸収マットの辺の長さの０．３倍以上の長さで延出させる。なお前記のように延出長さの上限は前記辺の２倍が好ましい。
【発明の効果】
【００２６】
本発明の排泄物吸収シートのフラップは、不透液性シートから形成されているので、従来のものに比べて安価に得ることができる。また、フラップは非常に軽量であるため、壁に保持させるための接着剤は接着力がさほど強くなくてもよい。また、前記フラップを両側方に延ばし、ベッド上でシーツやマットに巻き付けることにより介護用などとして使用したときの位置ずれを防止できる。
【発明を実施するための最良の形態】
【００２７】
以下、本発明の排泄物吸収シートを図面を参照しながら説明する。図１は、本発明の排泄物吸収シートを受液側から見た平面図である。図２は図１におけるＩＩ−ＩＩ線の断面図である。図３は、排泄物吸収シートの第２の実施の形態の断面図である。図４は、図１ないし図３に示した排泄物吸収シートをペット用としたときの使用状態を説明する斜視図である。図５は、図１と図２に示す排泄物吸収シートの製造方法の一例を示す斜視図、図６は、図３に示す排泄物吸収シートの製造方法の一例を示す斜視図、図７と図８はそれぞれ本発明の排泄物吸収シートの第３と第４の実施の形態を示す断面図である。なお、図２、図３、図７、図８では、排泄物吸収シートの厚みを少々誇張して描いている。
【００２８】
本発明のペットの排泄物吸収シート１は、図１及び図２に示すように、長方形の吸収コア４が、長方形の不透液性の裏面シート３と、長方形の透液性の表面シート２との間に挟まれている。そして、吸収コア４が存在しない部分、すなわち吸収コア４の外側の周縁領域において表面シート２と裏面シート３とがホットメルト型接着剤などにより接合されている。あるいは表面シート２と裏面シート３とが、前記周縁領域で互いに熱融着されていてもよい。表面シート２は、例えば４５ｃｍ×３２ｃｍの長方形であり、吸収コアはそれより一回り小さなものとなっている。なお、吸収コア４や表面シート２の大きさは、対象とするペットの体格に応じて適宜変更できる。たとえば、９０×１２０ｃｍ程度の長方形であってもよい。
【００２９】
図２に示すように、裏面シート３は、吸収コア４及び表面シート２より大きく、吸収コア４及び表面シート２の長辺側においてＸ方向に延出されて不透液性のフラップ１０を形成している。すなわち、表面シート２、裏面シート３並びに吸収コア４とで形成されている長方形の吸収マット１ａの１辺において、裏面シート３のみが延出してフラップ１０を形成し、全体として長方形の排泄物吸収シート１となっている。なお、排泄物吸収シート１の形状やサイズは適宜調整され、全体として正方形であってもよい。そして、フラップ１０の端部（裏面シート３の端部３ｂ）では、剥離可能な接着手段として接着テープ１１、１１が設けられている。
【００３０】
この排泄物吸収シート１の使用にあたっては、図４に示すように、床面１５に吸収マット１ａを設置し、フラップ１０を床面１５に対して垂直に立ち上げて、接着テープ１１を用いて壁面１６などに掛止させる。図４に示すような状態で使用することにより、例えば牡犬が後足を挙げて排尿して尿が壁側へ飛散しても、不透液性のフラップ１０の存在によって壁が汚れない。なお、尿の壁への飛散を有効に防止するためには、フラップ１０の表面シート２の端部２ｂより側方へ延出している部分の延出長さ（Ｘ方向における裏面シート３の延出長さ）１０ｐは、吸収コア４の短辺長さ（Ｘ方向における長さ）４ｐの０．３倍以上で２．０倍以下であることが好ましい。また、延出長さ１０ｐは、吸収コア４の短辺長さ４ｐの０．５倍以上であることがさらに好ましい。
【００３１】
透液性の表面シート２は、例えばポイントボンド不織布である。ポイントボンド不織布は、親水性繊維または親水化処理された疎水性繊維で形成されたものであり、その繊維は例えばポリエチレン繊維やポリプロピレン繊維あるいはこれらの複合繊維などの合成繊維である。また、ポイントボンド不織布はレーヨン繊維などの吸水性繊維を含有していても良い。ただし、疎水性繊維で形成された透液性の不織布や、開孔部を多数設けた不織布であってもよい。
【００３２】
不透液性の裏面シート３は、ポリオレフィン系のポリエチレン（ＰＥ）フィルムやビニールシートなどである。あるいはフィルムの裏面に不織布が積層されたものであってもよい。また裏面シート３の受液側において、少なくともフラップ１０を形成する領域には、表面処理が施されていることが好ましい。表面処理を施すことによって、壁に当たった尿が跳ねてさらに他の場所を汚すことがない。表面処理としては、表面にコロナ放電処理を施したり、界面活性剤のコーティングを施することにより行われる。あるいは裏面シート３を構成するフィルムをエンボス加工などにより凹凸化することによっても、尿の飛散防止効果を期待できる。
【００３３】
ただし、裏面シート３のフラップ１０を形成する領域において表面にフッ素やシリコンを塗工して撥水性を高めても良い。例えば、図４に示すように排泄物吸収シート１が設置されたとき、フラップ１０へと跳ねた尿が、フラップ１０上を流れ落ちて吸収マット１ａ側へと移動し、吸収マット１ａの吸収コア４に吸収されるようにしてもよい。この場合、フラップ１０において吸収コア４に近い領域は撥水性が高く、吸収コア４から遠い領域は前記飛散防止効果が高くなるようにしてもよい。
【００３４】
また、不透液性の裏面シート３を不織布や紙で形成し、表面にフッ素やシリコンを塗工して撥水性や防水性を高めたものも使用できる。
【００３５】
吸収コア４は、パルプ層６に高吸水性樹脂５が分散したものが、ティッシュなどの吸収紙に包まれている。吸収コアは、パルプ層の表面と底面の両方に高吸水性樹脂が設けられたものであってもよい。高吸水性樹脂５は、例えば、ポリアクリル酸系、ポリビニルアルコール系、無水マレイン酸その他の付加重合体、ポリエーテル系、縮合系に代表されるポリマー、でんぷん系、セルロース系その他多糖類系、コラーゲン等の蛋白質からなる粒状体などを使用することができる。高吸水性樹脂の例としては、ポリアクリル酸ナトリウムの橋かけ化合物、ポリアクリル酸ナトリウムのデンプン共重合体、ポリアクリロニトリルのセルロース共重合体である。この中でもポリアクリル酸ナトリウムまたはポリアクリル酸の橋かけ化合物が安価であるため好ましい。その他、吸収コア４は、高吸水性樹脂は設けられず、パルプのみで形成されていてもよい。
【００３６】
なお、吸収コア４がティッシュで覆われると、製造段階での扱いが容易である。また、ティッシュの存在によって比較的硬い高吸水性樹脂が裏面シート３を傷つけることを抑えることができる。また、ペットの排泄物吸収シート１の表面シート２の直下のティッシュは清潔感を与えるように青色等に着色されたものが好ましい。
【００３７】
接着テープ１１は例えば図２に示すように受液側に設けられてＺ形状に三つ折りとされ収納時には邪魔にならないようにし、使用時にはＸ方向へ図１及び図４に示すように伸ばして粘着層を露出させて壁に掛止させる。または、Ｖ字状に二つ折りされて、使用時に伸ばして剥離紙を剥がして粘着層を露出させて壁に掛止させてもよい。その他、接着テープを両面テープとし、裏面シート３の裏面側（受液側の反対側）に設けてもよい。また、接着テープの他、壁に掛止できるものであればどのような手段を用いても良い。たとえば、フックや面ファスナーのようなものを用いて壁面に掛止させてもよい。その他、予め壁面に設けられた突起物に、排泄物吸収シートに設けられたループやフックを掛止させるものであってもよい。
【００３８】
次に、図３に示す第２の実施の形態について説明する。図３に示す排泄物吸収シート１では、表面シート２と裏面シート３とがほぼ同じ面積を有しており、表面シート２の端部２ｂが裏面シート３の端部３ｂとほぼ同じ位置まで延出し、表面シート２と裏面シート３とが重ねられたものによりフラップ１０が形成されている。この場合、フラップ１０の受液側を表面シート２の不織布が覆っているため、少量の尿であれば表面シート２によって保持され、さらに他の場所への跳ねが少なくなる。なおこの場合、フラップ１０の延出長さとして、吸収コア４の端部（図１に示す４ｂ）から裏面シート３の端部３ｂまでの長さが、吸収コア４の短辺長さ（Ｘ方向における長さ）４ｐの０．３倍以上、さらに好ましくは０．５以上で２．０倍以下であることが好ましい。
【００３９】
図５は、図１と図２に示す構造を持つ排泄物吸収シート１の製造方法の一例を示している。この製造方法では、後に主にフラップ１０となる部分が裏面側に重なるように、裏面シート３を二つ折りにし、裏面シート３は二つ折りの状態で、折り線３ＡがＭＤ方向へ沿うようにして送られる。この二つ折りされた裏面シート３の表面側に、吸収コア４を一定の間隔で載置する。そして、表面シート２をＭＤ方向へ供給し、二つ折りされた裏面シート３と表面シート２との間に吸収コア４を挟み、吸収コア４の外側の周縁部において裏面シート３と表面シート２とをホットメルト型接着剤などで接着する。そして、切断線ＣＬにより切断することにより個々の排泄物吸収シート１が完成する。
【００４０】
完成後の排泄物吸収シート１は、裏面シート３が二つ折りされた状態で、さらに二つ折りまたは四つ折りなどの折り畳み状態で梱包される。使用時には、吸収コア４が挟まれている部分が吸収マット１ａとなり、二つ折りされた裏面シート３を展開させることによりフラップ１０となる。
【００４１】
図５に示す製造方法では、裏面シート３を二つ折り状態で送っているため、製造装置上での送り幅は、二つ折りされた裏面シート３の幅寸法Ｗを基準にすればよい。よって製造ラインの幅を短くでき、生産設備の大型化を避けることができる。
【００４２】
図６は、図３に示す排泄物吸収シート１の製造方法の一例を示している。この製造方法では、裏面シート３がＭＤ方向へ送られるが、その上に吸収コア４が間隔を開けて載置される。そしてその上から表面シート２がＭＤ方向へ送られ、裏面シート２と表面シート３との間に吸収コア４が挟まれる。そして、少なくとも吸収コア４の外側の周辺領域で、裏面シート３と表面シート２とがホットメルト型接着剤などで接着される。
【００４３】
前記のように形成された積層体が、ＭＤ方向へ送られると共に、切断線ＣＬで切断されて個々の排泄物吸収シート１が完成する。ここで、前記積層体のＭＤ方向への送り速度とカッタでの切断タイミングとを調整することにより、切断後の積層体では、裏面シート３と表面シート２に対して吸収コア４がＭＤ方向へ片寄った位置に挟まれたものとなる。そして切断された排泄物吸収シート１では、前記吸収コア４が挟まれている領域が吸収マット１ａとなり、それに連続する裏面シート３と表面シート２とが重ねられた部分がフラップ１０となる。
【００４４】
図６に示す製造方法でも、製造装置上の幅寸法は、裏面シート３および表面シート２の幅寸法Ｗを基準にすればよく、製造装置の幅寸法を大きくする必要がない。また積層体の送り速度や吸収コア４の載置速度とカッタでの切断タイミングの調整により、フラップ１０の長さを容易に設定できる。
【００４５】
図７は本発明の排泄物吸収シート１の変形例（第３の実施の形態）を示している。図７に示すものでは、裏面シート３と表面シート２の幅寸法が共にほぼＷであり、この裏面シート３と表面シート２との間に吸収コア４が挟まれ、吸収コア４の外側の周縁領域で裏面シート３と表面シート２とが接着されている。
【００４６】
そして表面シート２の端部２ｂの上に、不透液性シート９の端部９ａが接合されて、前記不透液性シート９が吸収マット１ａの上に重ねられた状態で製造される。この排泄物吸収シートの使用時には、前記不透液性シート９を側方へ広げることによりフラップ１０を形成できる。このフラップ１０が、図４に示すように壁面１６に掛止される。
【００４７】
図８、図９及び図１０は、それぞれ図７に示す本発明の排泄物吸収シートの変形例を示す周縁領域の部分拡大断面図である。図８では、不透液性シート９は吸収コア４の外側の周縁領域において、ホットメルト型接着剤などによって裏面シート３に面接合されている。なお、不透液性シート９と裏面シート３とは、接触している面全てにおいて接合されていてもよいが、１本または複数本の接着剤の連続線や、スパイラル形状に塗付された接着剤によって接合されていてもよい。このとき、表面シート２は不透液性シート９と裏面シート３との間に挟まれているが、表面シート２の端部２ｂは、Ｘ方向において不透液性シート９の端部９ａ及び裏面シート３の端部３ｂと同じ位置まで延びていない。すなわち、排泄物吸収シートのフラップ１０が設けられる側の端部では、透液性の表面シート２が現れていない。
【００４８】
この場合、尿が透液性の表面シート２を伝って排泄物吸収シートの端部へと移動したとしても、尿は表面シート２の端部２ｂまでしか移動できず、端部側へのさらなる移動は、接着剤２０によって接合されている不透液性シート９と裏面シート３とで阻止される。したがって、尿が排泄液吸収シートの端部から排泄物吸収シートの外へと漏れたり滲み出たりすることがない。
【００４９】
図９では、裏面シート３の端部３ｂを、表面シート２の端部２ｂと不透液性シート９の端部９ａより、Ｘ方向へ（吸収コア４から離れる方向へ）長く延出させ、端部３ｂをＺ方向へと巻き上げている。その後、裏面シート３の端部３ｂを不透液性シート９の端部９ａの表面へ、接着剤２０によって面接合する。この場合、図８の例と同様に、尿が透液性の表面シート２を伝ったとしても、不透液性の裏面シート３によって堰き止められ、排泄物吸収シートの外へと漏れることがない。
【００５０】
図１０では、図９に示すように裏面シート３を延出させる代わりに、フラップを形成する不透液性シート９をＸ方向へ延出し、延出した端部９ａを裏面シート３の端部３ｂの裏側に接着剤２０によって面接合している。この場合においても、表面シート２を伝って端部へと流れた尿は不透液性シート９によって堰き止められ、排泄物吸収シートの外側へと漏れることがない。
【００５１】
図１１、図１２及び図１３は、それぞれ本発明の排泄物吸収シートのさらに他の変形例（第５の実施の形態、第６の実施の形態、第７の実施の形態）を示す断面図である。
【００５２】
図１１に示す排泄物吸収シート３０は、図２に示す排泄物吸収シート１を変形させたものである。排泄物吸収シート３０は、吸収マット１ａの１辺において延出するフラップ１０が、吸収マット１ａの縁部で表面シート２を挟んで折り畳まれ、接合部１０ｓにおいて、吸収マット１ａの吸収コア４を覆う表面シート２の表面１ｓに接合されている。この接合部１０ｓでは、図１１の紙面直交方向（Ｙ方向）に連続して、前記表面シート２とフラップ１０とがホットメルト型接着剤や熱溶着によって接合されている。このとき、接合部１０ｓから吸収マット１ａの端部２４までの間隔２５は、１０〜５０ｍｍ程度であり、接合部１０ｓから吸収コア４の端部４ｂまでの間隔２６は、５〜４５ｍｍ程度であることが好ましい。
【００５３】
排泄物吸収シート３０の使用時には、接合部１０ｓを基点としてフラップ１０を壁面１６側へと立ち上げ掛止させる。不透液性のフラップ１０へと飛散した尿が多量の場合、フラップ１０を伝わって下へ落ちるが、この尿は前記接合部１０ｓから表面シート２を透過して、吸収コア４で吸収される。したがって、フラップ１０を伝わって流れ落ちてきた尿が吸収マット１ａの外へ流れ出にくい。
【００５４】
前記のように接合部１０ｓにおいて、表面シート２とフラップ１０とがＹ方向へ連続して接合されていると、フラップ１０を伝わって流れ落ちた尿が前記接合部１０ｓに沿ってＹ方向へ広がりながら吸収コア４に吸収されるため、流れ落ちた尿が吸収マット１ｓの外部へ出難い。
【００５５】
ただし、前記接合部１０ｓにおいて、表面シート２とフラップ１０とがＹ方向へ間隔を開けて部分的に（飛び飛びに）接合されていてもよい。この場合には、接合されていない部分のフラップ１０と表面シート２との間にポケットが形成され、フラップ１０を伝わって流れ落ちた尿が前記ポケットの内部へ流れ込んで、表面シート２を透過して吸収コア４に吸収されるようになる。よってフラップ１０を伝わって流れ落ちてきた尿の飛散を防止できる。
【００５６】
図１２に示す排泄物吸収シート３０Ａは、図３に示す排泄物吸収シート１を変形させたものである。排泄物吸収シート３０Ａは、表面シート２と裏面シート３とが同じ位置まで延出して形成されたフラップ１０が、図１１に示した排泄物吸収シート３０と同様に、吸収マット１ａの縁部で折り畳まれ、接合部１０ｓにおいて吸収コア４を覆う表面シート２の表面１ｓとフラップ１０とが接合されている。この場合、フラップ１０の受液側の表面が表面シート２と同じ不織布で構成されている為、フラップ１０へと跳ねた尿が比較的ゆっくりと吸収マット１ａ側へと流れ落ちるようになり、飛散しにくくなって、吸収マット１ａに確実に吸収されやすくなる。
【００５７】
図１３に示す排泄物吸収シート３０Ｂは、図７に示す排泄物吸収シート１を変形させたものである。排泄物吸収シート３０Ｂでは、不透液性シート９が吸収コア４を覆う表面シート２の表面１ｓに接合されている。この場合、不透液性シート９が接合部９ｓを起点として上方に立ち上がってフラップを形成することになり、図１１や図１２に示す排泄物吸収シートと同様の効果を得ることができる。この場合、不透液性シート９の端部９ａをＸ方向において、表面シート２の端部２ｂや裏面シート３の端部３ｂが位置する箇所まで延出させ、例えば図８、図９または図１０に示すように各シートを接合し、端部からの漏れを防止しても良い。
【００５８】
また、図１３に示すように、裏面シート３とは別体の不透液性シート９でフラップを形成する場合に、不透液性シート９の受液側に不織布を接合して、尿の飛散を防止できるようにしてもよい。
【００５９】
なお、図１１と図１２に示す排泄物吸収シート３０および３０Ａは、図５に示す製造方法において、裏面シート３を吸収コア４の上まで手繰り上げて吸収コア４を覆う表面シート２の表面に接合する工程を加えることにより製造できる。また、図６に示す製造方法において、表面シート２と裏面シート３とが接合されたものを吸収コア４の上まで手繰り上げて、吸収コア４を覆う表面シート２と、前記手繰り上げた表面シートと接合する工程を加えることにより製造可能である。
【００６０】
図１４は本発明の排泄物吸収シートのさらに他の変形例（第８の実施の形態）を示している。この変形例の製造方法としては、チューブ状のフィルムなどで形成された裏面シート３を平坦になるように折り（チューブを平坦に潰し）、図５に示したものと同様にＭＤ方向へ送る。この裏面シート３の上に吸収コア４を載置し、その上から表面シート２を供給し、吸収コア４の外側の周縁領域で裏面シート３の表面と表面シート２とを接着して接合する。そして、個々の寸法に切断されて排泄物吸収シート１が完成する。
【００６１】
使用時にはチューブ状の裏面シート３を、一方の側部に片寄った位置にある切断線ＣＬａで切断し、切断された裏面シート３を側方に展開することにより図１、図２、図３などに示したのと同様に、吸収マット１ａの１辺から側方へ延出するフラップ１０を形成することができる。この排泄物吸収シート１は、図４に示すようにペット用の排泄物吸収シートとして使用できる。
【００６２】
また、図１４においてチューブ状の裏面シート３を幅方向の中心にある切断線ＣＬｂで切断すると、介護用などのベッド用の排泄物吸収シート（ベッド用シーツ）として最適な構造となる。すなわち、吸収マット１ａをベッド上のマットやシーツの上に敷き、両側のフラップをシーツやマットに巻き込ませて使用することにより、ベッド上での吸収マット１ａの位置ずれを防止しやすくなる。この種のベッド用の排泄物吸収シート１は、介護用や産褥用などとして使用できる。
【００６３】
この排泄物吸収シートは、吸収コア４を有する吸収マット１ａを、ベッド上のマットの幅寸法と同じかあるいはわずかに短い面積を有するように形成する。前記中央の切断線ＣＬｂで切断された裏面シート３を展開させると、裏面シート３は吸収マット１ａの両側方へ突出するフラップとなる。このフラップの延出長も、吸収マット１ａの幅寸法の０．３倍以上、さらに好ましくは０．５倍以上で２倍以下が好ましい。
【００６４】
また、前記介護用の排泄物吸収シートを製造する際に、図１４の状態において、裏面シート３を、吸収コア４を覆う表面シート２の上に折り畳むようにして、表面シートと裏面シート３とを接合してもよい。この方法で製造された介護用の排泄物吸収シートでは、吸収マット１ａの両側から延びるフラップが、吸収コア４を覆う表面シート２の表面を起点として延出するものとなる。この介護用の排泄物吸収シートを用いると、吸収コア４を覆う表面シート２の部分へ与えられた排泄物、例えば尿が、表面シート２とフラップとの接合部で堰き止められるようになり、尿などが両側のフラップの部分に流れ出にくくなる。
【００６５】
その他、本発明の排泄物吸収シートは、切り花などの輸送用ドリップシートとしても使用できる。
【図面の簡単な説明】
【００６６】
【図１】本発明の排泄物吸収シートの第１の実施の形態を示す平面図
【図２】図１のＩＩ−ＩＩ線による断面図
【図３】本発明の排泄物吸収シートの第２の実施の形態を示す断面図
【図４】ペット用の排泄物吸収シートとしての使用状態を説明する斜視図
【図５】図１と図２に示した排泄物吸収シートの製造方法の一例を示す斜視図
【図６】図３に示した排泄物吸収シートの製造方法の一例を示す斜視図
【図７】排泄物吸収シートの変形例を示す断面図
【図８】本発明の排泄物吸収シートの変形例を示す周縁領域の部分拡大断面図
【図９】本発明の排泄物吸収シートの変形例を示す周縁領域の部分拡大断面図
【図１０】本発明の排泄物吸収シートの変形例を示す周縁領域の部分拡大断面図
【図１１】本発明の排泄物吸収シートの第５の実施の形態を示す断面図
【図１２】本発明の排泄物吸収シートの第６の実施の形態を示す断面図
【図１３】本発明の排泄物吸収シートの第７の実施の形態を示す断面図
【図１４】介護用シーツとして使用可能な排泄物吸収シートを示す断面図（第８の実施の形態）
【符号の説明】
【００６７】
１、３０、３０Ａ、３０Ｂ  ペットの排泄物吸収シート
１ａ  吸収マット
１ｓ  表面
２  表面シート
２ａ、２ｂ  表面シートの端部
３  裏面シート
３ａ、３ｂ  裏面シートの端部
４  吸収コア
４ｂ  吸収コアの端部
５  高吸水性樹脂
６  パルプ層
９  不透液性シート
９ａ  端部
１０  フラップ
１０ｓ  接合部
１１  接着テープ
１５  床面
１６  壁面
２０  接着剤
【図１】
2008245662.tif 000003
【図２】
2008245662.tif 000004
【図３】
2008245662.tif 000005
【図４】
2008245662.tif 000006
【図５】
2008245662.tif 000007
【図６】
2008245662.tif 000008
【図７】
2008245662.tif 000009
【図８】
2008245662.tif 000010
【図９】
2008245662.tif 000011
【図１０】
2008245662.tif 000012
【図１１】
2008245662.tif 000013
【図１２】
2008245662.tif 000014
【図１３】
2008245662.tif 000015
【図１４】
2008245662.tif 000016
【手続補正書】
【提出日】平成20年7月23日(2008.7.23)
【手続補正１】
【補正対象書類名】特許請求の範囲
【補正対象項目名】全文
【補正方法】変更
【補正の内容】
【特許請求の範囲】
【請求項１】
透液性の表面シートと、不透液性の裏面シートと、前記表面シートと裏面シートとの間に介在する吸収コアとを有する四角形の吸収マット、および前記吸収マットの少なくとも一辺から延出するフラップとを有し、前記フラップは、前記裏面シートと不織布層のみからなり、前記吸収マットからの延出長は、フラップの延出方向と平行な前記吸収マットの辺の長さの０．３倍以上であり、かつ前記吸収マットからほぼ直角に折り曲げた状態で壁面に掛止するための手段が設けられて、ペットの排泄物吸収用として用いられることを特徴とする排泄物吸収シート。
【請求項２】
前記不織布層は、前記吸収マットから延出する表面シートである請求項１記載の排泄物吸収シート。
【請求項３】
前記フラップを形成する裏面シートには、表面処理が施され、またはエンボス処理が施されている請求項１または２記載の排泄物吸収シート。
【手続補正３】
【補正対象書類名】明細書
【補正対象項目名】０００１
【補正方法】変更
【補正の内容】
【０００１】
本発明は、ペットの排泄物吸収用の排泄物吸収シートに関する。さらに詳しくは、壁などに排泄物が跳ねて壁が汚れるのを防止できるペットの排泄物吸収用、の排泄物吸収シートに関する。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
本発明は上記従来の課題を解決するものであり、排泄物の跳ねによる壁の汚れを防止できるもので且つ壁面に設置された部分がずり落ちにくいペット用の排泄物吸収シートを提供することを目的としている。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
本発明の排泄物吸収シートは、透液性の表面シートと、不透液性の裏面シートと、前記表面シートと裏面シートとの間に介在する吸収コアとを有する四角形の吸収マット、および前記吸収マットの少なくとも一辺から延出するフラップとを有し、前記フラップは、前記裏面シートと不織布層のみからなり、前記吸収マットからの延出長は、フラップの延出方向と平行な前記吸収マットの辺の長さの０．３倍以上であり、かつ前記吸収マットからほぼ直角に折り曲げた状態で壁面に掛止するための手段が設けられて、ペットの排泄物吸収用として用いられることを特徴とするものである。この延出長さは好ましくは０．５倍以上である。
【手続補正８】
【補正対象書類名】明細書
【補正対象項目名】００１０
【補正方法】変更
【補正の内容】
【００１０】
好ましくは前記延出長は前記辺の２倍以下である。また、前記延出長さは、前記吸収マットの一辺の最もそばに位置する吸収コアの辺（末端部）から測定する値である。
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】変更
【補正の内容】
【００１３】
例えば、前記フラップには、前記吸収マットからほぼ直角に折り曲げた状態で壁面に掛止するための手段が設けられる。
【手続補正１２】
【補正対象書類名】明細書
【補正対象項目名】００１４
【補正方法】変更
【補正の内容】
【００１４】
本発明のペット用の排泄物吸収シートは、前記吸収マットを床やペット用トイレなどに設置し、前記フラップを接着剤などの掛止手段によって家屋の壁やペット用トイレの内壁などの壁面に掛止させて使用する。このフラップは、不透液性シートから形成され、内部に吸収コアを有していないため、従来のものに比べて安価に得ることができる。また、フラップは非常に軽量であるため、壁に保持させるための接着剤の接着力がさほど強くなくても、フラップが壁面からずり落ちることがない。
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２１
【補正方法】変更
【補正の内容】
【００２１】
前記不織布層は、前記吸収マットから延出する表面シートであることが好ましい。前記フラップの液を受ける面に表面シートが重ねられていると、フラップに与えられる液が他の領域へ広く飛散するのを防止できる。
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】変更
【補正の内容】
【００２６】
本発明の排泄物吸収シートのフラップは、不透液性シートから形成されているので、従来のものに比べて安価に得ることができる。また、フラップは非常に軽量であるため、壁に保持させるための接着剤は接着力がさほど強くなくてもよい。
【手続補正２４】
【補正対象書類名】明細書
【補正対象項目名】００２７
【補正方法】変更
【補正の内容】
【００２７】
以下、本発明の排泄物吸収シートを図面を参照しながら説明する。図１は、本発明の基本構造である排泄物吸収シートを受液側から見た平面図である。図２は図１におけるＩＩ−ＩＩ線の断面図である。図３は、排泄物吸収シートの実施の形態の断面図である。図４は、図１ないし図３に示した排泄物吸収シートをペット用としたときの使用状態を説明する斜視図である。図５は、図１と図２に示す排泄物吸収シートの製造方法の一例を示す斜視図、図６は、図３に示す排泄物吸収シートの製造方法の一例を示す斜視図、図７と図８はそれぞれ排泄物吸収シートの参考例を示す断面図である。なお、図２、図３、図７、図８では、排泄物吸収シートの厚みを少々誇張して描いている。
【手続補正２５】
【補正対象書類名】明細書
【補正対象項目名】００２８
【補正方法】変更
【補正の内容】
【００２８】
本発明のペットの排泄物吸収シート１は、図１及び図２に示す基本構造のように、長方形の吸収コア４が、長方形の不透液性の裏面シート３と、長方形の透液性の表面シート２との間に挟まれている。そして、吸収コア４が存在しない部分、すなわち吸収コア４の外側の周縁領域において表面シート２と裏面シート３とがホットメルト型接着剤などにより接合されている。あるいは表面シート２と裏面シート３とが、前記周縁領域で互いに熱融着されていてもよい。表面シート２は、例えば４５ｃｍ×３２ｃｍの長方形であり、吸収コアはそれより一回り小さなものとなっている。なお、吸収コア４や表面シート２の大きさは、対象とするペットの体格に応じて適宜変更できる。たとえば、９０×１２０ｃｍ程度の長方形であってもよい。
【手続補正２６】
【補正対象書類名】明細書
【補正対象項目名】００３８
【補正方法】変更
【補正の内容】
【００３８】
次に、図３に示す本発明の実施の形態について説明する。図３に示す排泄物吸収シート１では、表面シート２と裏面シート３とがほぼ同じ面積を有しており、表面シート２の端部２ｂが裏面シート３の端部３ｂとほぼ同じ位置まで延出し、表面シート２と裏面シート３とが重ねられたものによりフラップ１０が形成されている。この場合、フラップ１０の受液側を表面シート２の不織布が覆っているため、少量の尿であれば表面シート２によって保持され、さらに他の場所への跳ねが少なくなる。なおこの場合、フラップ１０の延出長さとして、吸収コア４の端部（図１に示す４ｂ）から裏面シート３の端部３ｂまでの長さが、吸収コア４の短辺長さ（Ｘ方向における長さ）４ｐの０．３倍以上、さらに好ましくは０．５以上で２．０倍以下であることが好ましい。
【手続補正２７】
【補正対象書類名】明細書
【補正対象項目名】００４５
【補正方法】変更
【補正の内容】
【００４５】
図７は排泄物吸収シート１の参考例を示している。図７に示すものでは、裏面シート３と表面シート２の幅寸法が共にほぼＷであり、この裏面シート３と表面シート２との間に吸収コア４が挟まれ、吸収コア４の外側の周縁領域で裏面シート３と表面シート２とが接着されている。
【手続補正２８】
【補正対象書類名】明細書
【補正対象項目名】００４７
【補正方法】変更
【補正の内容】
【００４７】
図８、図９及び図１０は、それぞれ図７に示す排泄物吸収シートの参考例を示す周縁領域の部分拡大断面図である。図８では、不透液性シート９は吸収コア４の外側の周縁領域において、ホットメルト型接着剤などによって裏面シート３に面接合されている。なお、不透液性シート９と裏面シート３とは、接触している面全てにおいて接合されていてもよいが、１本または複数本の接着剤の連続線や、スパイラル形状に塗付された接着剤によって接合されていてもよい。このとき、表面シート２は不透液性シート９と裏面シート３との間に挟まれているが、表面シート２の端部２ｂは、Ｘ方向において不透液性シート９の端部９ａ及び裏面シート３の端部３ｂと同じ位置まで延びていない。すなわち、排泄物吸収シートのフラップ１０が設けられる側の端部では、透液性の表面シート２が現れていない。
【手続補正２９】
【補正対象書類名】明細書
【補正対象項目名】００５１
【補正方法】変更
【補正の内容】
【００５１】
図１１、図１２及び図１３は、それぞれ排泄物吸収シートの参考例を示す断面図である。
【手続補正３０】
【補正対象書類名】明細書
【補正対象項目名】００６０
【補正方法】変更
【補正の内容】
【００６０】
図１４は排泄物吸収シートの参考例を示している。この参考例の製造方法としては、チューブ状のフィルムなどで形成された裏面シート３を平坦になるように折り（チューブを平坦に潰し）、図５に示したものと同様にＭＤ方向へ送る。この裏面シート３の上に吸収コア４を載置し、その上から表面シート２を供給し、吸収コア４の外側の周縁領域で裏面シート３の表面と表面シート２とを接着して接合する。そして、個々の寸法に切断されて排泄物吸収シート１が完成する。
【手続補正３１】
【補正対象書類名】明細書
【補正対象項目名】００６６
【補正方法】変更
【補正の内容】
【００６６】
【図１】排泄物吸収シートの基本構造を示す平面図
【図２】図１のＩＩ−ＩＩ線による断面図
【図３】本発明の排泄物吸収シートを示す断面図
【図４】ペット用の排泄物吸収シートとしての使用状態を説明する斜視図
【図５】図１と図２に示した排泄物吸収シートの製造方法の一例を示す斜視図
【図６】図３に示した排泄物吸収シートの製造方法の一例を示す斜視図
【図７】排泄物吸収シートの参考例を示す断面図
【図８】排泄物吸収シートの参考例を示す周縁領域の部分拡大断面図
【図９】排泄物吸収シートの参考例を示す周縁領域の部分拡大断面図
【図１０】排泄物吸収シートの参考例を示す周縁領域の部分拡大断面図
【図１１】排泄物吸収シートの参考例を示す断面図
【図１２】排泄物吸収シートの参考例を示す断面図
【図１３】排泄物吸収シートの参考例を示す断面図
【図１４】介護用シーツとして使用可能な排泄物吸収シートの参考例を示す断面図